【手続補正書】
【提出日】平成24年12月21日(2012.12.21)
【手続補正１】
【補正対象書類名】明細書
【補正対象項目名】００８９
【補正方法】変更
【補正の内容】
【００８９】
本出願では、以下の態様が提供される。
１．  光学スタックを含む多層光学フィルムであって、前記光学スタックが、ａ）複数の第１の光学層であって、それぞれの第１の光学層は、溶融加工性共重合体が、ＡＳＴＭ Ｄ ２１１６−０７によるフッ素化エチレンプロピレン共重合体ではなく、又はＡＳＴＭ Ｄ ３３０７−０８によるペルフルオロアルコキシ樹脂でないという条件で、テトラフロオルエチレンのインターポリマー化されるモノマーを含む前記溶融加工性共重合体を含む、複数の第１の光学層と、ｂ）前記複数の第１の光学層との繰り返し順序で配置された複数の第２の光学層であって、それぞれの第２の光学層は、ポリ（メチルメタクリレート）、ポリ（メチルメタクリレート）の共重合体、ポリプロピレン、プロピレンの共重合体、ポリスチレン、スチレンの共重合体、ポリ塩化ビニリデン、ポリカーボネート、熱可塑性ポリウレタン、エチレンの共重合体、環式オレフィン共重合体、及びこれらの組み合わせからなる群から選択される非フッ素化重合体材料を含む、複数の第２の光学層と、を含む、多層光学フィルム。
２．  前記溶融加工性共重合体が、テトラフロオルエチレンとヘキサフルオロプロピレンとフッ化ビニリデンの共重合体、ヘキサフルオロプロピレンとテトラフロオルエチレンとエチレンの共重合体、テトラフロオルエチレンとプロピレンの共重合体、テトラフロオルエチレンとノルボルネンの共重合体、及びエチレンとテトラフロオルエチレンの共重合体からなる群から選択される、態様１に記載の多層光学フィルム。
３．  前記光学スタックが、ポリ（メチルメタクリレート）と（テトラフロオルエチレン、ヘキサフルオロプロピレン、及びフッ化ビニリデンの共重合体）の層ペア、ポリ（メチルメタクリレート）と（ヘキサフルオロプロピレン、テトラフロオルエチレン、及びエチレンの共重合体）の層ペア、ポリカーボネートと（テトラフロオルエチレン、ヘキサフルオロプロピレン、及びフッ化ビニリデンの共重合体）の層ペア、ポリカーボネートと（ヘキサフルオロプロピレン、テトラフロオルエチレン、及びエチレンの共重合体）の層ペア、ポリカーボネートと（エチレン及びテトラフロオルエチレンの共重合体）の層ペア、ポリプロピレンの共重合体と（テトラフロオルエチレン、ヘキサフルオロプロピレン、及びフッ化ビニリデンの共重合体）の層ペア、ポリプロピレンと（ヘキサフルオロプロピレン、テトラフロオルエチレン、及びエチレンの共重合体）の層ペア、ポリスチレンと（テトラフロオルエチレン、ヘキサフルオロプロピレン、及びフッ化ビニリデンの共重合体）の層ペア、ポリスチレンの共重合体と（テトラフロオルエチレン、ヘキサフルオロプロピレン、及びフッ化ビニリデンの共重合体）の層ペア、ポリスチレンの共重合体と（ヘキサフルオロプロピレン、テトラフロオルエチレン、及びエチレンの共重合体）の層ペア、ポリエチレンの共重合体と（テトラフロオルエチレン、ヘキサフルオロプロピレン、及びフッ化ビニリデンの共重合体）の層ペア、ポリエチレンの共重合体と（ヘキサフルオロプロピレン、テトラフロオルエチレン、及びエチレンの共重合体）の層ペア、環式オレフィン共重合体と（テトラフロオルエチレン、ヘキサフルオロプロピレン、及びフッ化ビニリデンの共重合体）の層ペア、環式オレフィン共重合体と（ヘキサフルオロプロピレン、テトラフロオルエチレン、及びエチレンの共重合体）の層ペア、及び熱可塑性ポリウレタンと（テトラフロオルエチレン、ヘキサフルオロプロピレン、及びフッ化ビニリデンの共重合体）の層ペア、並びにこれらの組み合わせからなる群から選択される層ペアを含む、態様１又は２に記載の多層光学フィルム。
４．  テトラフロオルエチレンのインターポリマー化されるモノマーを含む前記溶融加工性共重合体が、３つの追加の異なるモノマーを含む、態様１〜３のいずれか一項に記載の多層光学フィルム。
５．  前記光学スタックが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを透過する、態様１〜４のいずれか一項に記載の多層光学フィルム。
６．  前記光学スタックが、ａ）約４００〜７００ｎｍの波長の少なくとも一部分、ｂ）約７００ｎｍを超える波長の少なくとも一部分、ｃ）約３００ｎｍ未満の波長の少なくとも一部分、又はｄ）約３００〜４００ｎｍの波長の少なくとも一部分のうちの少なくとも１つを反射する、態様１〜５のいずれか一項に記載の多層光学フィルム。
７．  ａ）印刷、ｂ）接着剤、ｃ）耐引裂層、ｄ）紫外線吸収層、ｅ）スキン層、又はｆ）保護境界層のうちの少なくとも１つを更に含む、態様１〜６のいずれか一項に記載の多層光学フィルム。
８．  紫外線吸収化合物、赤外線吸収化合物、又はこれらの組み合わせを更に含み、前記溶融加工性共重合体、前記非フッ素化重合体材料、又は任意の追加層が、前記紫外線吸収化合物、前記赤外線吸収化合物、又はこれらの組み合わせを含む、態様１〜７のいずれか一項に記載の多層光学フィルム。
９．  必要に応じて機能性添加剤を更に含み、前記機能性添加剤が、加工添加剤である、態様１〜９のいずれか一項に記載の多層光学フィルム。
１０．  前記光学スタックが、少なくとも５個の第１の光学層と、少なくとも５個の第２の光学層とを含む、態様１〜９のいずれか一項に記載の多層光学フィルム。
１１．  前記光学スタックが、少なくとも５０個の第１の光学層と、少なくとも５０個の第２の光学層とを含む、態様１〜１０のいずれか一項に記載の多層光学フィルム。
１２．  態様１〜１１のいずれか一項に記載の多層光学フィルムを含む物品。
１３．  前記物品が、紫外線ミラー、赤外線ミラー、又は可視光ミラーのうちの少なくとも１つである、態様１２に記載の物品。
１４．  前記多層光学フィルムが、少なくとも２枚のガラスの間に配置される、態様１２又は１３に記載の物品。
１５．  態様１２〜１４のいずれか一項に記載の物品が、ａ）ソーラーパワー用途、ｂ）照明用途、又はｃ）窓割り製品のうちの少なくとも１つに使用される、多層フィルムを使用する方法。
１６．  態様１〜１１のいずれか一項に記載の多層光学フィルムの小さい片を含む被覆であって、それぞれの片の最大寸法が、前記多層光学フィルムの厚さの少なくとも２倍であり、かつ前記被覆の最大厚さ以下である、被覆。
１７．  多層光学フィルムを作成する方法であって、ａ）溶融加工性共重合体が、ＡＳＴＭ Ｄ ２１１６−０７によるフッ素化エチレンプロピレン共重合体ではなく、又はＡＳＴＭ Ｄ ３３０７−０８ＡＳＴＭによるペルフルオロアルコキシ樹脂ではないという条件で、テトラフロオルエチレンのインターポリマー化されるモノマーを含む前記溶融加工性共重合体を含む第１の光学層を提供する工程と、ｂ）ポリ（メチルメタクリレート）、ポリ（メチルメタクリレート）の共重合体、ポリプロピレン、ポリプロピレンの共重合体、ポリスチレン、ポリスチレンの共重合体、ポリ塩化ビニリデン、ポリカーボネート、熱可塑性ポリウレタン、ポリエチレンの共重合体、環式オレフィン共重合体、及びこれらの組み合わせからなる群から選択される非フッ素化重合体材料を含む第２の光学層を提供する工程と、ｃ）前記第１の光学層及び前記第２の光学層を交互に配置して、複数の層を構成する工程と、を含む、方法。
１８．  ａ）前記第１の光学層及び前記第２の光学層をウェブに共押出しする工程、ｂ）前記第１の光学層のシートを前記第２の光学層上に層化するか、若しくは前記第２の光学層のシートを前記第１の光学層上に層化し、次に積層する工程、ｃ）前記第１の光学層の溶液を前記第２の光学層上に被覆するか、若しくは前記第２の光学層の溶液を前記第１の光学層上に被覆する工程、ｄ）前記第１の光学層を前記第２の光学層上に蒸着するか、若しくは前記第２の光学層を前記第１の光学層上に蒸着する工程、又はｅ）これらの組み合わせ、のうちの少なくとも１つを含む、態様１７に記載の多層光学フィルムを作成する方法。
１９．  前記第１の光学層が、テトラフロオルエチレンとヘキサフルオロプロピレンとフッ化ビニリデンの共重合体、ヘキサフルオロプロピレンとテトラフロオルエチレンとエチレンの共重合体、テトラフロオルエチレンとプロピレンの共重合体、テトラフロオルエチレンとノボルネンの共重合体、及びエチレンとテトラフロオルエチレンの共重合体からなる群から選択される、態様１７又は１８に記載の多層光学フィルムを作成する方法。
２０．  テトラフロオルエチレンのインターポリマー化されるモノマーを含む前記溶融加工性共重合体が、３つの追加の異なるモノマーを含む、態様１７〜１９のいずれか一項に記載の多層光学フィルムを作成する方法。
本発明の予測可能な改良及び変更が、本発明の範囲及び趣旨から逸脱せずに実施できることは、当業者には明らかである。本発明は、例証の目的のために本出願において説明された実施形態に限定されるべきではない。
【手続補正２】
【補正対象書類名】特許請求の範囲
【補正対象項目名】全文
【補正方法】変更
【補正の内容】
【特許請求の範囲】
【請求項１】
光学スタックを含む多層光学フィルムであって、前記光学スタックが、
ａ）複数の第１の光学層であって、それぞれの第１の光学層は、溶融加工性共重合体が、ＡＳＴＭ Ｄ ２１１６−０７によるフッ素化エチレンプロピレン共重合体ではなく、又はＡＳＴＭ Ｄ ３３０７−０８によるペルフルオロアルコキシ樹脂でないという条件で、テトラフロオルエチレンのインターポリマー化されるモノマーを含む前記溶融加工性共重合体を含む、複数の第１の光学層と、
ｂ）前記複数の第１の光学層との繰り返し順序で配置された複数の第２の光学層であって、それぞれの第２の光学層は、ポリ（メチルメタクリレート）、ポリ（メチルメタクリレート）の共重合体、ポリプロピレン、プロピレンの共重合体、ポリスチレン、スチレンの共重合体、ポリ塩化ビニリデン、ポリカーボネート、熱可塑性ポリウレタン、エチレンの共重合体、環式オレフィン共重合体、及びこれらの組み合わせからなる群から選択される非フッ素化重合体材料を含む、複数の第２の光学層と、を含む、多層光学フィルム。
【請求項２】
請求項１に記載の多層光学フィルムを含む、物品。
【請求項３】
請求項２に記載の物品が、
ａ）ソーラーパワー用途、
ｂ）照明用途、又は
ｃ）窓割り製品
のうちの少なくとも１つに使用される、多層フィルムを使用する、方法。
【請求項４】
多層光学フィルムを作成する方法であって、
ａ）溶融加工性共重合体が、ＡＳＴＭ Ｄ ２１１６−０７によるフッ素化エチレンプロピレン共重合体ではなく、又はＡＳＴＭ Ｄ ３３０７−０８によるペルフルオロアルコキシ樹脂ではないという条件で、テトラフロオルエチレンのインターポリマー化されるモノマーを含む前記溶融加工性共重合体を含む第１の光学層を提供する工程と、
ｂ）ポリ（メチルメタクリレート）、ポリ（メチルメタクリレート）の共重合体、ポリプロピレン、ポリプロピレンの共重合体、ポリスチレン、ポリスチレンの共重合体、ポリ塩化ビニリデン、ポリカーボネート、熱可塑性ポリウレタン、ポリエチレンの共重合体、環式オレフィン共重合体、及びこれらの組み合わせからなる群から選択される非フッ素化重合体材料を含む第２の光学層を提供する工程と、
ｃ）前記第１の光学層及び前記第２の光学層を交互に配置して、複数の層を構成する工程と、を含む、方法。